(57)【要約】【課題】従来より安価なコストで製造し得るようにした埋め込み式の縦引きドレインを提供する。【解決手段】フロア２を形成するための流動性硬化材６の打設時に当該フロア２の排水口３位置にドレイン本体１を一緒に埋め込み、フロア２の硬化後にドレイン本体１の上側にドレインカバー５を装着して排水口３を被覆するようにした縦引きドレインに関し、ドレイン本体１の上端外周にフロア２上面に沿うフランジ部７を形成すると共に、該フランジ部７下面の円周方向複数箇所に下方向きに縦板状に延び且つその板厚方向に貫通する開口部１６を備えたアンカープレート１７を一体成形する。【選択図】        図１
2004197511.tif 000002
【特許請求の範囲】
【請求項１】
フロアを形成するための流動性硬化材の打設時に当該フロアの排水口位置にドレイン本体を一緒に埋め込み、フロアの硬化後にドレイン本体の上側にドレインカバーを装着して排水口を被覆するようにした縦引きドレインであって、ドレイン本体の上端外周にフロア上面に沿うフランジ部を形成すると共に、該フランジ部下面の円周方向複数箇所に下方向きに縦板状に延び且つその板厚方向に貫通する開口部を備えたアンカープレートを一体成形したことを特徴とする縦引きドレイン。
【発明の詳細な説明】
【０００１】
【発明の属する技術分野】
本発明は、縦引きドレインに関するものである。
【０００２】
【従来の技術】
ビルやマンション等の建築物の屋上や各階のベランダに設けられている排水口部分には、雨水を排水するためのドレインが使用されており、この種のドレインとしては、雨水を上方から導入して下方へ排出するようにした縦引きドレインが一般的である。
【０００３】
図４は従来における縦引きドレインの一例を示すもので、図中１はフロア２に設けられた排水口３に挿入設置されるドレイン本体を示し、該ドレイン本体１は、フロア２に設けられた排水口３内下方に垂直に配設された排水管４の上端に嵌挿されており、前記ドレイン本体１の上側には、雨水に随伴されるゴミや小枝等の固形物の侵入防止、並びに排水口３が剥き出しになることによる危険性の回避、美観の保持等といった観点からドレインカバー５が装着されている。
【０００４】
ここに図示する例では、フロア２を形成するためのモルタルやセメント、樹脂等といった流動性硬化材６の打設時に当該フロア２の排水口３の位置にドレイン本体１を一緒に埋め込み、フロア２の硬化後にドレイン本体１の上側にドレインカバー５を装着して排水口３を被覆するようにしてある。
【０００５】
ここで、ドレイン本体１の上端外周には、フロア２の上面に沿うフランジ部７が形成されており、該フランジ部７下面の円周方向複数箇所には、フロア２内に埋め込まれてドレイン本体１をフロア２に固定し得るようアンカーフック８が装備されている。
【０００６】
これら各アンカーフック８は、自身の上端部に形成した雄ねじ部９を、フランジ部７下面の円周方向複数箇所に下方向きに突設された雌ねじ部１０に螺合することによりフランジ部７下面への装着が成されるようになっている。
【０００７】
また、ドレインカバー５の内側中央部には、下方向きに所要長さ延びるホルダ部１１が突設されており、該ホルダ部１１の下端に対し、その両端部を下方向きに撓ませて弾性力によりドレイン本体１の内周面に圧接せしめ得るよう一対の細長いバネ板１２，１３の中間部が装着されている。
【０００８】
尚、図中１４は前記ドレインカバー５に開口された複数の取水口、１５は各バネ板１２，１３の中間部をホルダ部１１の下端に装着しているビスを夫々示す。
【０００９】
また、この種の縦引きドレインに関連する先行技術文献としては下記の特許文献１等がある。
【００１０】
【特許文献１】
特開平９−１６５８８５号公報
【００１１】
【発明が解決しようとする課題】
しかしながら、上記した如き従来の縦引きドレインにおいては、ドレイン本体１をフロア２に固定するためにアンカーフック８という別部品が必要となり、しかも、ドレイン本体１上端のフランジ部７下面にも複数の雌ねじ部１０を加工しなければならないため、縦引きドレインの製造コストが高騰するという問題があった。
【００１２】
本発明は上述の実情に鑑みてなしたもので、従来より安価なコストで製造し得るようにした埋め込み式の縦引きドレインを提供することを目的としている。
【００１３】
【課題を解決するための手段】
本発明は、フロアを形成するための流動性硬化材の打設時に当該フロアの排水口位置にドレイン本体を一緒に埋め込み、フロアの硬化後にドレイン本体の上側にドレインカバーを装着して排水口を被覆するようにした縦引きドレインであって、ドレイン本体の上端外周にフロア上面に沿うフランジ部を形成すると共に、該フランジ部下面の円周方向複数箇所に下方向きに縦板状に延び且つその板厚方向に貫通する開口部を備えたアンカープレートを一体成形したことを特徴とするものである。
【００１４】
このようにすれば、フロアを形成するための流動性硬化材の打設時にドレイン本体を一緒に埋め込むに際し、硬化前のフロア内に埋没したアンカープレートの開口部に流動性硬化材が流れ込み、この開口部を満たす流動性硬化材によりアンカープレートの板厚方向の両側にある流動性硬化材同士の連結構造が形成されるので、斯かる状態でフロアが硬化すると、アンカープレートがフロア内に強固に結びつけられ、フロアに対するドレイン本体の確実な固定が図られることになる。
【００１５】
そして、このようなドレイン本体と一体成形されたアンカープレートによりドレイン本体の確実な固定を図ることができれば、従来のアンカーフックの如き別部品が不要となり、ドレイン本体上端のフランジ部下面にも複数の雌ねじ部を加工しなくて済む。
【００１６】
【発明の実施の形態】
以下本発明の実施の形態を図面を参照しつつ説明する。
【００１７】
図１〜図３は本発明を実施する形態の一例を示すもので、図４と同一の符号を付した部分は同一物を表わしている。
【００１８】
図１に示す如く、本形態例においては、フロア２を形成するためのモルタルやセメント、樹脂等といった流動性硬化材６の打設時に、前記フロア２の排水口３位置にドレイン本体１を一緒に埋め込み、フロア２の硬化後にドレイン本体１の上側にドレインカバー５を装着して排水口３を被覆するようにした埋め込み式の縦引きドレインに関し、ドレイン本体１の上端外周に上向きに擂り鉢状に拡張するフランジ部７が形成されてフロア２上面に沿わされており、更に、前記フランジ部７下面の円周方向複数箇所には、下方向きに縦板状に延び且つその板厚方向に貫通する開口部１６を備えたアンカープレート１７が、前記フランジ部７の半径方向に向けた放射状配置を成して一体成形されている。
【００１９】
ここで、ドレイン本体１は、フランジ部７やアンカープレート１７と共にアルミダイカスト製法により一体成形すれば良く、各アンカープレート１７の開口部１６については、ドレイン本体１の成形後にドリル等で穿孔加工して形成すれば良い。
【００２０】
尚、フランジ部７が擂り鉢状に形成してあるのは、雨水を良好に排水口３へ導くためであるが、フランジ部７より外側のフロア２上面にも雨水を排水口３へ導くための傾斜を付すことが可能である。
【００２１】
また、ここに図示する例においては、前述した擂り鉢状のフランジ部７の上面に、ドレインカバー５下端の外径と略合致する径の段差部１８が形成されており、しかも、ドレインカバー５下端の底面が段差部１８下の傾斜面に沿うように傾斜されていて、ドレインカバー５の段差部１８への嵌め込みにより水平移動が規制されるようにしてある。
【００２２】
而して、このように構成された縦引きドレインによれば、フロア２を形成するための流動性硬化材６の打設時にドレイン本体１を一緒に埋め込むに際し、硬化前のフロア２内に埋没したアンカープレート１７の開口部１６に流動性硬化材６が流れ込み、この開口部１６を満たす流動性硬化材６によりアンカープレート１７の板厚方向の両側にある流動性硬化材６同士の連結構造が形成されるので、斯かる状態でフロア２が硬化すると、アンカープレート１７がフロア２内に強固に結びつけられ、フロア２に対するドレイン本体１の確実な固定が図られることになる。
【００２３】
従って、上記形態例によれば、ドレイン本体１と一体成形されたアンカープレート１７によりドレイン本体１の確実な固定を図ることができ、これにより従来のアンカーフックの如き別部品が不要となり、しかも、ドレイン本体１上端のフランジ部７下面にも複数の雌ねじ部を加工しなくて済むので、従来より製造コストを大幅に削減することができる。
【００２４】
尚、本発明の縦引きドレインは、上述の形態例にのみ限定されるものではなく、ドレインカバーの形状及びその抜け止め方式等については、図示以外の形式を採用しても良いこと、その他、本発明の要旨を逸脱しない範囲内において種々変更を加え得ることは勿論である。
【００２５】
【発明の効果】
上記した本発明の縦引きドレインによれば、ドレイン本体と一体成形されたアンカープレートによりドレイン本体の確実な固定を図ることができるので、従来のアンカーフックの如き別部品を不要とすることができると共に、ドレイン本体上端のフランジ部下面に複数の雌ねじ部を加工する手間も省くことができ、これによって、従来より製造コストを大幅に削減することができるという優れた効果を奏し得る。
【図面の簡単な説明】
【図１】本発明を実施する形態の一例を示す断面図である。
【図２】図１のＩＩ−ＩＩ方向の矢視図である。
【図３】図１のＩＩＩ−ＩＩＩ方向の矢視図である。
【図４】従来例を示す断面図である。
【符号の説明】
１  ドレイン本体
２  フロア
３  排水口
５  ドレインカバー
６  流動性硬化材
７  フランジ部
１６  開口部
１７  アンカープレート
【図１】
2004197511.tif 000003
【図２】
2004197511.tif 000004
【図３】
2004197511.tif 000005
【図４】
2004197511.tif 000006